(57)【要約】【課題】  地震による墓の倒壊もしくは破損を防ぎ、且つ、上下の石同士の相互の回転位置ずれ防止機能を持たせ、更に、納骨室内への通風を一層促進させ、空気流の循環（エアサイクル）を発生させて、積極的にカビ発生防止を図った墓の提供をすることにある。【解決手段】  下部に納骨室２０を設け、上部に複数の石を積重ねる墓１において、前記納骨室２０に連通し各墓石（２，３，４，５，６、）を上下方向に貫通する孔（２ａ，３ａ，４ａ，５ａ，６ａ）と、積重ねられ互いに当接する各石の上下面に、上下の半割り凹部同士で形成されるキー収納空間（２ｃと３ｂ、３ｃと４ｂ、５ｃと６ｂ）を設け、キー溝（４１ｂ、４３ｂ、４３ｃ）に板状キー４５を有する中空部材（４１，４３，４４）を前記各石の貫通する孔（２ａ，３ａ，４ａ，５ａ，６ａ）に挿着し、対応する前記キー収納空間（２ｃと３ｂ、３ｃと４ｂ、４ｃと５ｂ、５ｃと６ｂ）内に前記板状キーを収納配設した墓１である。【選択図】  図２
2007092423.tif 000002
【特許請求の範囲】
【請求項１】
下部に納骨室を設け、上部に複数の石を積重ねる墓において、前記納骨室に連通し各石を上下方向に貫通する孔と、積重ねられ互いに当接する各石の上下面に、前記貫通する孔を横断してそれぞれ上下対応する半割り凹部を設け、前記上下の半割り凹部同士でキー収納空間を形成し、キー溝孔に挿通された板状キーを有する中空部材を前記各石の貫通する孔に挿着し、対応する前記キー収納空間内に前記板状キーを収納配設したことを特徴とする墓。
【請求項２】
前記中空部材が、前記石の中間部にて継手部により上下に接続されたことを特徴とする請求項１記載の墓。
【請求項３】
前記石の上下方向に貫通する前記孔内周面と、この孔内に挿着された前記中空部材の外周面との間の空間内に、緩衝部材を設けたことを特徴とする請求項１乃至２記載の墓。
【請求項４】
前記石の上下の繋ぎ部に防虫網状部材を有する通気路を設け、前記納骨室の上部開口に連通され、前記石の前記貫通孔内に挿着された前記中空部材の前記通気路に面する周側部に少なくとも一の通気口を有することを特徴とする請求項１乃至４記載の墓。
【請求項５】
墓の付属品の花立・水鉢付き一体化香炉であって、左右の花立用貫通孔を有する上蓋（天井部材）と、前記左右の花立用貫通孔の各々に対応するように、夫々の上面部に花立用穴を有する左右側壁と、前記左右の花立用貫通孔とこれに各々対応する花立用穴とに挿着させ、前記上蓋と、その下方に配設される前記左右側壁とを一体的に係合させる花立とを有することを特徴とする花立・水鉢付き一体化香炉。
【請求項６】
前記花立・水鉢付き一体化香炉において、前記上蓋上面に着脱自在に載置された水鉢と、前記左右側壁の各々専有の案内部に出し入れ自在に案内され、通気口と取っ手とを有する前扉と、蝋燭立と線香皿とを載置し、且つ、通気口を有する中蓋とを配設したことを特徴とする花立・水鉢付き一体化香炉。
【発明の詳細な説明】
【技術分野】
【０００１】
本発明は、より有効なエアサイクル式墓であり、地震が発生しても倒壊や事故が発生しないよう改良された墓に関する。
【背景技術】
【０００２】
従来、日本の伝統的な墓は、仏教に基き、台石の上に竿石を重ねた構造のものが多い。図１８（ａ）は、従来の墓の正面図であり、図１８（ｂ）は、従来の墓の右側面図である。図１８（ａ），（ｂ）に示すように地面Ｓ上に、下から芝台１０２、中台１０３、上台１０４を三段重ねとし、この上に、上下蓮華１０５を介在させ、この上に竿石１０６を積み上げて形成された墓がある。そして、石の周縁には、前方に水鉢１１７や、更に、前記芝台１０２の前端部に当接して配設された拝石１１１上には香炉１１８を挟んで、一対の花立１１９が配置されて墓が形成されている。
【０００３】
ところで、地震国日本における地震の被害として住居は勿論のこと墓に関するものも大きく報告されている。そのために、前記中台１０３に嵌め込み穴１０３ａを設け、上台１０４、上下蓮華１０５の夫々に貫通孔１０４ａ，１０５ａを設け、更に、竿石１０６の躯体内へ下方より嵌め込み穴１０６ａを設け、そして、これらの穴に対して、中台１０３の嵌め込み穴１０３ａから起立した長尺の嵌め込み突起１１０を嵌め込んで耐震性を増したり、同様に、水鉢１１７、香炉１１８、一対の花立１１９等も下方に嵌め込み穴と嵌め込み突起を設けて嵌合させた耐震墓が紹介されている。加えて高温多湿となるために納骨室にカビが発生するのを防ぐため、側壁に換気窓を設けた墓が開示されている。
【０００４】
そこで、本願発明に関連する公知技術として次の特許文献１、特許文献２及び特許文献３を挙げることが出来る。
【特許文献１】特開２００２―３７１７２９号公報
【特許文献２】特開２００２−３８７６９号公報
【特許文献３】特開平１０−３７５３２号公報
【発明の開示】
【発明が解決しようとする課題】
【０００５】
上述の如く、従来技術に係る墓は、上台１０４、上下蓮華１０５の夫々に貫通孔１０４ａ，１０５ａを、更に、竿石１０６の躯体内へ下方より嵌め込み穴１０６ａを設け、そして、これらの穴に対して、中台１０３の嵌め込み穴１０３ａから起立した長尺の嵌め込み突起１１０を嵌め込んで耐震性を増している。この様に、地震による倒壊もしくは破損等を防ぎ、倒壊時の人身事故等も防ぐことが出来るが、上下の石同士の相互の回転方向のずれは防止することが出来なかった。回転方向にずれた石の向きを修正したり位置合わせをするには重くて困難であり、作業に危険性が伴い、素人には出来なくて不便であった。加えて出願人は、特願２００３−１２２９８６号により、納骨室内への通風によるカビの発生防止のための提案をしてきた。
【０００６】
本発明は、このような点に鑑みてなされたものであり、その目的は、地震による墓の倒壊もしくは破損を防ぎ、且つ、上下の石同士の相互の回転位置ずれ防止機能を持たせ、更に、納骨室内への通風を一層促進させて、積極的にカビ発生防止を図った墓の提供をすることにある。
【課題を解決するための手段】
【０００７】
上述の目的を達成するために、請求項１の発明は、下部に納骨室を設け、上部に複数の石を積重ねる墓において、前記納骨室に連通し各石を上下方向に貫通する孔と、積重ねられ互いに当接する各石の上下面に、前記貫通する穴を横断してそれぞれ上下対応する半割り凹部を設け、前記上下の半割り凹部同士でキー収納空間を形成し、キー溝孔に挿通された板状キーを有する中空部材を前記各石を貫通する孔に挿着し、対応する前記キー収納空間内に前記板状キーを収納配設したことを特徴とする墓である。
【０００８】
上記請求項１の場合、納骨室に連通し各石の上下方向に貫通する孔を設け、積重ねられ互いに当接する各石の上下面に、前記貫通する孔を横断してそれぞれ上下対応する半割り凹部を設け、上下の半割り凹部同士で形成されるキー収納空間を形成し、キー溝孔に挿通された板状キーを有する中空部材を前記各石を貫通する孔に挿着し、対応する前記キー収納空間内に前記板状キーを収納配設した墓である。そのため、地震等の強い振動に対しても積重ねられた石が上下方向に貫装された中空部材により倒壊することがなく、更に、上下の半割り凹部同士で形成されたキー収納空間内に中空部材のキー溝孔に挿通された板状キーを収納しているので、互いに上下に積重ねられている石同士の回転方向のずれも防止できて便利である。更に、各石を上下方向に貫通する孔を設けたので、各石が軽くなり一層石の取扱が容易となり、作業の安全性が向上した。
【０００９】
請求項２の発明は、前記中空部材が、前記石の中間部にて継手部により上下に接続されたことを特徴とする墓である。
上記請求項２の場合、前記中空部材が前記石内の中間部にて継手部（印籠継手）により上下に接続することにより中空部材を石に合わせた適度の長さに設定できて重い石の取扱が容易となり、組立作業が安全に出来て便利である。
【００１０】
請求項３の発明は、前記石の上下方向に貫通する前記孔の内周面と、この孔内に挿着された前記中空部材の外周面との間の空間内に、緩衝部材を設けたことを特徴とする墓である。
請求項３の場合、地震等の強い振動に対し、各石内の貫通孔の内周面と、この孔内に挿着されている中空部材の外周面との間の空間内に緩衝部材が挿入されているので、振動が吸収されて、石と中空部材との激しい衝突が無いために、石が破壊されることが無く、更に、倒壊することも無い。
【００１１】
上記請求項４の発明は、前記石の上下の繋ぎ部に防虫網状部材を有する通気路を設け、前記納骨室の上部開口に連通され、前記石の前記貫通孔内に挿着された前記中空部材の前記通気路に面する周側部に少なくとも一の通気口を有することを特徴とする墓である。
上記請求項４の場合、中空部材の内部の空間が納骨室内の空気を天井部から石を上方に貫いて外部に導き、石の外部で吹く風や夏場等で暖められた空気が中空部材の内部空間による煙突効果にて納骨室内の空気が下方から上方に引かれて空気流の循環（エアサイクル）が引き起こされるので納骨室内が乾燥しカビ等の発生が防止される。
【００１２】
請求項５の発明は、前記花立・水鉢付き一体化香炉であって、左右の花立用貫通孔を有する上蓋（天井部材）と、前記左右の花立用貫通孔の各々に対応するように、夫々の上面部に花立用穴を有する左右側壁と、前記左右の花立用貫通孔とこれに各々対応する花立用穴とに挿着させ、前記上蓋と、その下方に配設される前記左右側壁とを一体的に係合させる花立とを有することを特徴とする花立・水鉢付き一体化香炉である。
【００１３】
上記請求項５の場合、地震時には勿論、加えて墓掃除の時にも花立・水鉢付き一体化香炉が、上蓋と左右側壁とが挿着された花立により横ずれすることなく一体となってまとまっており、個別に移動しにくいために、花立・水鉢付一体化香炉の破損が無く、又、部材の散逸等も無い。
請求項６の発明は、前記花立・水鉢付き一体化香炉において、前記上蓋上面に着脱自在に載置された水鉢と、前記左右側壁の各々専有の案内部に出し入れ自在に案内され、通気口と取っ手とを有する前扉と、蝋燭立と線香皿とを載置し、且つ、通気口を有する中蓋とを配設したことを特徴とする花立・水鉢付き一体化香炉である。
【００１４】
上記請求項６の場合、上蓋（天井部材）の上面に載置される水鉢は、地震や風等では外れないが、手による着脱は可能であり、水鉢の水洗い等に便利である。中蓋と前扉とに通気口（防虫網状部材付き）を設けたので、納骨室内の空気が上方に引かれ空気の流れが促進されるので、納骨室内が乾燥しカビ等の発生が確実に防止される。加えて、前扉に取っ手を設けてあるので、内部の蝋燭に点火したり線香を供えた後、前扉の取っ手を持って、前扉を閉めておけば、各通気口により通気性は保たれ、且つ、線香等の散乱もなく火災発生を防ぐことが出来る。勿論、各通気口には、防虫網状部材付きであるために虫、蛇等の侵入を防止可能である。
【発明の効果】
【００１５】
以上説明したように請求項１の発明によれば、各石の上下方向に貫通する孔を設け、積重ねられ互いに当接する各石の上下面に、前記貫通する孔を横断してそれぞれ上下対応する半割り凹部を設け、上下の半割り凹部同士で形成されるキー収納空間を形成し、キー溝孔に挿通された板状キーを有する中空部材を前記各石を貫通する孔に挿着し、対応する前記キー収納空間内に前記板状キー部を収納配設した墓である。そのため、地震等の強い振動に対しても積重ねられた石が上下方向に挿着された中空部材により倒壊することがなく便利である。更に、各石を上下方向に貫通する孔を設けたので、各石が軽くなり一層石の取扱が容易となり、作業の安全性が向上した。
【００１６】
請求項２の発明によれば、請求項１の効果に加えて、前記中空部材が前記石内の中間部にて継手部（印籠継手）により上下に接続することにより、中空部材を石に合わせた適度の長さに設定できて重い石の取扱が容易となり、組立作業が安全に出来て便利である。
請求項３の発明によれば、地震等の強い振動に対し、各石内の貫通孔の内壁面と、この孔内に装着されている各中空部材との間に緩衝部材が挿入されているので、各石と各中空部材との激しい衝突が無いために、石が破壊されることが無く便利である。
【００１７】
請求項４の発明によれば、中空部材の内部の空間（中空部）が納骨室内の空気を天井部から石を上方に貫いて外部に導き、外部で吹く風や夏場等で暖められた空気が中空部材による煙突効果にて納骨室内の空気が上方に引かれて循環が引き起こされるので納骨室内が乾燥しカビ等の発生が防止される。
請求項５の発明によれば、地震時には勿論、加えて墓掃除の時にも花立・水鉢付き一体化香炉が一体となってまとまっており、個別に移動しにくいために、花立・水鉢付一体化香炉の破損が無く、又、部材の散逸等のない墓である。
【００１８】
請求項６の発明によれば、前記上蓋上面に着脱自在に載置された水鉢と、前記左右側壁の各々専有の案内部に出し入れ自在に案内され、通気口と取っ手とを有する前扉と、蝋燭立と線香皿とを載置し、且つ、通気口を有する中蓋とを配設した花立・水鉢付き一体化香炉であり、中蓋と前扉とに通気口（防虫網状部材付き）を設けたので、納骨室内の空気が下方から上方に引かれ空気の流れ（エアサイクル）が促進されるので、納骨室内が乾燥しカビ等の発生が確実に防止される。加えて、前扉に取っ手を設けてあるので、内部の蝋燭に点火したり線香を供えた後、前扉の取っ手を持って、前扉を閉めておけば、各通気口により通気性は保たれ、且つ、線香等の散乱もなく火災発生を防ぐことが出来る。勿論、各通気口には、防虫網状部材付きであるために虫、蛇等の侵入を防止可能である。
【発明を実施するための最良の形態】
【００１９】
以下、本発明の最良の実施例を図面を参照しながら詳細に説明する。
【実施例】
【００２０】
図１〜図８は、本発明の第１の実施例に係り、図１はその墓１の正面図である。図２は墓１の一部断面の右側面図である。図３は墓１の要部の中央部正面断面図であり、図４は墓１の要部の中央部右側断面図である。
図１、図２に示すように、本墓１は、地面Ｓ上に石又はコンクリート製の左右側壁２１，２２及び前後側壁２３，２４に周りを囲まれた納骨室２０を有する。左側壁２１には、図２に示すように、通風を妨げない防虫網状部材（例えばステンレス鋼製網等）を有する第1の換気口２８Ｌが設けられ、同様に、右側壁２２にも、図示されないが、通風を妨げない防虫網状部材（例えばステンレス鋼製網等）を有する第２の換気口２８Ｒが設けられている。前記第１の換気口２８Ｌ、第２換気口２８Ｒは共に図示しないが外気と連通しており、納骨室２０に空気を導入し得る。そして納骨室２０の上部開口２０Ｕは、図２に示すように、芝台２と、花立・水鉢付き一体化香炉３１とによって覆われている。詳しく述べれば、芝台２と、この芝台２の前方に納骨室柱２５、２５と芝台２とに当接支持された花立・水鉢付き一体化香炉３１を形成する、支持部材３７と中蓋５７とによって覆われている。この中蓋５７と支持部材３７とは、後述するように、花立・水鉢付き一体化香炉３１を形成する部材の一部である。また、納骨室２０の底面部には、骨壷Ｃ中のお骨を土に返し埋めるための地面露出部Ｓ１が設けられている。
【００２１】
図１、図２に示すように、左右側壁２１，２２の内面には、溝２１ａ，２２ａが水平に延在し、納台２９の左右の両端部が前記溝２１ａ，２２ａ内に嵌挿され、水平方向に摺動自在となっている（図２では右側面２２と溝２２ａは表示されていない。）。納骨室２０の前方の地面Ｓ上には台石１３を配置し、この上面に、横石２６を挟持し、且つ、前側壁２３の開閉を案内する左右一対の納骨室柱２５，２５が配置されている。この納骨室柱２５，２５の上端面は、前記左右側壁２１，２２の上端面と面一致に構成され、花立・水鉢付き一体化香炉３１の土台である支持部材３７を下側から支持している。そして、左右の納骨室柱２５，２５間に挟持されている下部の前記横石２６により、雨水等が納骨室２０に流入することを防いでいる。
【００２２】
本墓１において、納骨室２０の上部開口２０Ｕは、芝台２と、この芝台２の前方にて、花立・水鉢付き一体化香炉３１を形成する、支持部材３７及び支持部材３７を介して配置された中蓋５７とによって覆われていることは前記した。図３、図４を参照して、芝台２の中央部に上下方向に貫通する嵌め込み孔（下方がすぼまる段付き孔）２ａが設けられ、この嵌め込み孔（下方がすぼまる段付き孔）２ａの上方端部を前後方向に横断して上部キー溝（下の半割り凹部）２ｃが設けられている。そして、例えばスエージング加工等にて拡径された中空部材４１の一方端（下方端の拡径部）４１ａの上方近傍に設けられたキー溝孔４１ｂ内に板状キー４５を挿通させてから、芝台２の貫通する前記嵌め込み孔（下方がすぼまる段付き孔）２ａに挿入し、その段部の上面に、拡径された中空部材４１の一方端（下方端の拡径部）４１ａを当接させて落下防止し、そして、板状キー４５の下半分を、前記上部キー溝（下の半割り凹部）２ｃ内に挿入させる。
【００２３】
そして、芝台２の中央部の貫通する嵌め込み穴（下方がすぼまる段付き穴）２ａから、上方に中空部材４１の他方端（上方端で、後述する印籠継手の差し口を形成する）４１ｃを突出させる。次に、芝台２の中央部の貫通する嵌め込み穴（下方がすぼまる段付き穴）２ａと中空部材４１の周囲の空間内に緩衝部材４７を偏ることなく均等に注ぎ入れる。これにより中空部材４１が芝台２の中央部の貫通する嵌め込み穴（下方がすぼまる段付き穴）２ａの中心より垂直上方向に屹立すると共に、板状キー４５の上半分が上部キー溝２ｃから突出する状態となる。即ち、この状態になるように、各部材の寸法関係が設定されている。
【００２４】
次に、中台３を用意する。この中台３は、中央部に上下方向に貫通する嵌め込み孔３ａが貫通され、この嵌め込み孔３ａの下と上の両端部を前後方向に横断して下部キー溝（上の半割り凹部）３ｂと上部キー溝（下の半割り凹部）３ｃとが設けられている。そして、この中台３を、芝台２の上面より垂直上方向に起立している中空部材４１の他方端（上方端で、第１の印籠継手の差し口を形成する）４１ｃの上方から、この中台３の嵌め込み孔３ａと下部キー溝（上の半割り凹部）３ｂとを、中空部材４１と板状キー４５とに被挿する。
【００２５】
中空部材４１の他方端（上方端で、後述する第１の印籠継手の差し口を形成する）４１ｃが、中台３の貫通する嵌め込み孔３ａの上下方向の中間部に位置し、芝台２の上面より略半分の高さの突出していた部分の板状キー４５が下部キー溝（下の半割り凹部）３ｂ内に収納され、且つ、芝台２の上面と中台３の下面とが密着するように、各部材の寸法関係が設定されている。即ち、下の半割り凹部２ｃと上の半割り凹部３ｂとでキー収納空間を形成して、板状キー４５を収納配設している。
【００２６】
次に、例えばスエージング加工等で拡径された中空部材４２の一方端（下方端で、後述する第１の印籠継手の受け口を形成する拡径部）４２ａの上方にキー溝孔４２ｂを貫通させ、他方端（上方端で、後述する第２の印籠継手の差し口を形成する）４２ｃを有する中空部材４２を用意し、前記キー溝孔４２ｂに板状キー４５を挿通させた中空部材４３の拡径された一方端４２ａを、中台３の差し込み孔３ａの中間部に位置する第１の印籠継手の差し口を形成する４１ｃに被挿し、中空部材４１と中空部材４３とを第１の印籠継手にて接続すると共に、板状キー４５の下半分を上部キー溝（下の半割り凹部）３ｃ内に挿入する。（尚、印籠継手の受け口と差し口は逆の位置でもよい。）
そして、中台３の中央部の貫通する嵌め込み孔３ａと第１の印籠継手にて接続された中空部材４１と中空部材４２との周囲の空間内に、中台３の嵌め込み穴３ａの上端部から緩衝部材４７を偏ることなく均等に注ぎ入れる。これにより中空部材４２が中台３の中央部を貫通する嵌め込み孔３ａ中心より垂直上方向に起立すると共に、板状キー４５の上半分が上部キー溝（下の半割り凹部）３ｃから突出する状態となる。このような状態となるように各部材の寸法関係が設定されている。
【００２７】
次に、上台４を用意する。この上台４は、中央部の上下方向に貫通する嵌め込み孔４ａを設け、この嵌め込み孔４ａの下と上の両端部を前後方向に横断して下部キー溝（上の半割り凹部）４ｂと上部キー溝（下の半割り凹部）４ｃとが設けられている。そして、この上台４の嵌め込み孔４ａと下部キー溝（上の半割り凹部）４ｂとを、中台３の嵌め込み穴３ａより垂直上方に起立する中空部材４２と前記キー溝穴４２ｂに挿通した板状キー４５とに被挿する。そして、前記上部キー溝（下の半割り凹部）３ｃから略半分の高さの突出した部分の板状キー４５が、下部キー溝（上の半割り凹部）４ｂ内に収納され、且つ、中台３の上面と上台４の下面とが密着するように載置する。即ち、中空部材４２の他方端（上方端で、後述する第２の印籠継手差し口を形成する）４２ｃが、上台４の貫通する嵌め込み孔４ａの上下方向の中間部に位置し、中台３の上面より、略半分の高さの突出していた部分の板状キー４５が、下部キー溝（上の半割り凹部）４ｂ内に収納され、且つ、中台３の上面と上台４の下面とが密着するように、各部材の寸法関係が設定されている。即ち、下の半割り凹部３ｃと上の半割り凹部４ｂとでキー収納空間を形成して、板状キー４５を収納配設している。
【００２８】
次に、例えば、スエージング加工等で、拡径された中空部材３２の一方端（下方端で、後述する第２の印籠継手受け口を形成する）４３ａの上方にキー溝孔４３ｂを、更に、その上方に他の別のキー溝孔４３ｃを各々貫通させ、他方端（上方端で、後述する第２の印籠継手の差し口を形成する）４３ｄを有する中空部材４３を用意する。そして、拡径された一方端４３ａに近いほうのキー溝孔４３ｂに板状キー４５を挿通させて、この中空部材４３の拡径された一方端４３ａを、上台４の嵌め込み孔４ａの中間部に位置する第２の印籠継手の差し口を形成する４２ｃに被挿し、中空部材４２と中空部材４３とを第２の印籠継手にて接続すると共に、板状キー４５の下半分を上部キー溝（下の半割り凹部）４ｃ内に挿入する。（尚、印籠継手の差し口と受け口とは逆の位置でも良い）
そして、上台４の中央部を貫通する嵌め込み孔４ａと、第２の印籠継手にて接続された中空部材４２，４３との周囲の空間内に上台４の嵌め込み孔４ａの上端部から、緩衝部材４７を偏ることなく均等に注ぎ入れる。これにより、中空部材４３が上台４の嵌め込み穴４ａ中心より垂直上方に起立すると共に、板状キー４５の上半分が上部キー溝（下の半割り凹部）４ｃから突出する状態となる。
【００２９】
次に、上下蓮華５を用意する。この上下蓮華５は、中央部を上下方向に貫通する嵌め込み孔５ａを設け、この嵌め込み孔５ａの下と上の両端部を前後方向に横断して下部キー溝（上の半割り凹部）５ｂと上部キー溝（下の半割り凹部）５ｃが設けられている。そして、この上下蓮華５の嵌め込み孔５ａと下部キー溝（上の半割り凹部）５ｂとを、上台４の嵌め込み孔４ａより垂直上方に起立する中空部材４３と前記キー溝孔４３ｂに挿通した板状キー４５に被挿し、上下蓮華５を上台４上に載置し、上台４の上面と上下蓮華５の下面とを密着させる。
【００３０】
次に、竿石６を組み込む前に、上下蓮華５の中央部を上下方向に貫通する嵌め込み孔５ａを横断する上部キー溝５ｃに対応し、且つ、上下蓮華５の上面に沿って横から板状キー４５が挿通し得るように、他のキー溝孔より上下方向に長めに中空部材４３に形成された貫通横断するキー溝孔４３ｃに板状キー４５を挿通させてから、更に、この板状キー４５を下方に移動させ、前記上下蓮華５の上部キー溝（下の半割り凹部）５ｃ内にこの板状キー４５の高さ方向の略下半分を挿入させる。即ち、前記上下蓮華５の上面より突出している中空部材４３のキー溝穴４３ｃに横方向から板状キー４５を挿通させ、更に、下方向に平行移動させて上部キー溝（下の半割り凹部）５ｃ内に挿入した板状キー４５の高さ方向の略上半分が上下蓮華５の上面より突出し得るように各部材の寸法関係が設定されている。
【００３１】
次に、嵌め込み孔５ａと中空部材４３との間の空間内とに、上下蓮華５の嵌め込み孔５ａの上端部より、緩衝部材４７を偏ることなく均等に注ぎ入れる。これにより中空部材４３が上蓮華５の中央部の貫通する嵌め込み孔５ａの中心より垂直上方向に起立すると共に、板状キー４５の上半分が上部キー溝（下の半割り凹部）５ｃから突出する状態となる。
次に、竿石６を用意する。この竿石６は、縦方向の中央部に貫通する嵌め込み孔６ａが設けられ、この嵌め込み孔６ａの下端部を前後方向に横断して下部キー溝（上の半割り凹部）６ｂが設けられ、竿石６の上端部である枠部７とが設けられている。そして、この竿石６の下部キー溝（上の半割り凹部）６ｂ側を下方に向け、竿石６の嵌め込み孔６ａを、前記中空部材４３の他方端（上方端）４３ｄから被挿する。そして、前記上部キー溝（下の半割り凹部）５ｃから略半分の高さの突出した部分の板状キー４５が、下部キー溝（上の半割り凹部）６ｂ内に収納され、且つ、上下蓮華５の上面と竿石６の下面とが密着するように載置される。即ち、竿石６が上下蓮華５の上に載置されて、中空部材４３の他方端４３ｄが竿石６の嵌め込み孔６ａの上下方向の中間部のやや上方寄りに位置し、キー溝孔４３ｃに挿通された板状キー４５は、下の半割り凹部５ｃと上の半割り凹部６ｂとにより形成されたキー収納空間内に収納された状態になるように、各部材の寸法関係が設定してある。
【００３２】
次に、竿石６の嵌め込み孔６ａの上方中間部に位置する中空部材４３の他方端（上方端で、後述する第３の印籠継手の差し口を形成する）４３ｄに、両端部を、例えばスエージング加工等で拡径された中空部材４４の一方端（下方端の拡径部）４４ａを被挿する。即ち、中空部材４３と中空部材４４とを第３の印籠継手にて接続する。そして、中空部材４４の、例えばスエージング加工等で拡径された他方端（上方端で、複数の通気口４４ｃを設けてある）４４ｂが竿石６の上端に設けられた通気路７ｇ内に突出している。次に、嵌め込み孔６ａと中空部材４３及び中空部材４４との間の空間内に、嵌め込み穴６ａの上方端から、緩衝部材４７を偏ることなく均等に注ぎ入れる。これにより中空部材４４が竿石６の中央部の貫通する嵌め込み孔６ａの中心より通気路７ｇに垂直上方向に起立することになる。
【００３３】
尚、中空部材４４の拡径部の他方端（上方端）４４ｂには、周囲に複数の通気口４４ｃが設けてある。中空部材４４の他方端（上方端で、周囲に複数の通気口４４ｃのある拡径部）４４ｂは、後述する第４の印籠継手の受け口を形成し、後述する中空部材４８の一方端（下方端で、周囲に複数の通気口４８ｃがある）４８ａは後述する第４の印籠継手の差し口を形成し、中空部材４４と中空部材４８とが第４の印籠継手にて接続される。そして、中空部材４８の下方端４８ａの近傍には複数の通気口４８ｃが設けられ、前記中空部材４４の複数の前記通気口４４ｃに対応配置されている。この中空部材４４の他方端４４ｂは、後述するように大名形笠石９の下面中心部の円形凹部９ｂに挿入される。
【００３４】
尚、中空部材４１，４２、４３，４４、４８や板状キー４５等の材質は、ステンレス鋼や銅合金等の錆びにくく曲げや剪断に強い金属等が望ましく、又、緩衝部材４７の材質は、ステンレス鋼、銅、銅合金、アルミニウム、アルミニウム合金等の小球又は小粒径のものであって、比較的熱伝導率良好な材質が望ましいが、砂等であっても構わない。
図５は、竿石と大名形笠石との繋ぎ部の分解斜視図である。竿石６の上端部である枠部７には、前枠７ａと左後枠７ｂと右後枠７ｃとに囲まれた通気路７ｇが形成されている。竿石６の上端部である枠部７は、仕切壁状の前枠７ａと、左後枠７ｂと右後枠７ｃとを配設し、左後枠７ｂと右後枠７ｃとの互いに対向する面を挟んで内周面に後Ｕ字形溝７ｄを配設し、この後Ｕ字形溝７ｄ内に通風を妨げない防虫網状部材８を嵌め込む。そして、左後枠７ｂと前枠７ａとの対向する面を挟んで内周面に左Ｕ字形溝７ｅを配設し、同様に、右後枠７ｃと前枠７ａとの対向する面を挟んで内周面に右Ｕ字形溝７ｆを配設し、夫々の溝７ｅ，７ｆ，内に夫々通風を妨げない防虫網状部材８を嵌め込む。挿設される通風を妨げない防虫網状部材８は、例えば、ステンレス鋼製の防虫網でもよい。
【００３５】
そして、竿石６の上部である枠部７上に大名形笠石９又は後述する冠形笠石１５９が載置される。大名形笠石９の下面の四角形凹部９ａに前枠７ａ、左後枠７ｂ及び右後枠７ｃの夫々の上端部が嵌着される。そして、大名形笠石９の下面中心部の円形凹部９ｂに前記中空部材４８の他方端（上方端）４８ｂが嵌合配置され、そして、前記中空部材４８の一方端（下方端で、周囲に複数の通気口４８ｃがある）４８ａは、前記中空部材４４の拡径された他方端（上方端で、周囲に複数の通気口４４ｃがあり、第４の印籠継手の受け口を形成する）４４ｂに挿入される。そして、前記一方端（下方端）４８ａの近傍に設けられた複数の通気口４８ｃは、前記通気口４４ｃに各々対応する。そして、下方の納骨室２０内の空気を芝台２の嵌め込み孔２ａから（矢印Ｗ１の方向）、各中空部材４１，４２、４３，４４，４８の中空部を経由して、複数の通気口４８ｃ、４４ｃから通気路７ｇを通り、通風を妨げない防虫網状部材８を通過して外気へ放散する（矢印Ｗ３の方向）。
【００３６】
即ち、上下の石の繋ぎ部（ここでは竿石６の上端部である枠部７と大名形笠石９との繋ぎ部）に防虫網状部材８を有する通気路７ｇを設け、前記納骨室２０の上部開口２０Ｕに連通され、前記各墓石の前記各貫通穴内に装着された前記各中空部材の中空部と連通するように、前記通気路７ｇに面する中空部材の周側部に少なくとも一の（複数の）通気口４８ｃ及び４４ｃを有する墓１である。防虫網状部材を有する第１、第２の換気口２８Ｌ，２８Ｒから流入した、納骨室２０内の空気が、中空部を経由して、通気口４８ｃ、４４ｃから通気路７ｇを通り、防虫網状部材８を通過して、外気に放散される空気流の循環（エアサイクル）が発生する。これにより納骨室２０が常時乾燥する。この様にして納骨室２０のカビ発生を防止する。そして、各台石と各中空部材４１，４３，４４、４８との熱による線膨張係数の違いを吸収し得るように各部材の寸法関係を設定してある。
【００３７】
そして、繰返して述べるが、墓１の外部に風が吹いたり外気が暖められると、納骨室２０内の空気が、中空部材（４１，４２、４３，４４、４８）の中空部を通し、更に、複数の通気口４８ｃ、４４ｃを通して上方に引張り上げられる（図４中の矢印Ｗ１からＷ３の空気流）。所謂、各中空部材の中空部による煙突効果により、防虫網状部材８を通して外気に放出される。そして、大名形笠石９と枠部７及び防虫網状部材８とにより墓１内部への虫や蛇や雨水の進入を防止できると共に、前記第１の換気口２８Ｌ及び、第２の換気口２８Ｒから空気が取り入れられ、納骨室２０内に補填される。常時発生し得る空気流の循環（エアサイクル）が存在するために、納骨室２０内の湿度は低下してカビの発生を防止できる。図３、図４参照。
【００３８】
図３、図４に示すように、芝台２と中台３、中台３と上台４、上台４と上蓮華５，上蓮華５と竿石６との各嵌め込み孔２ａ、３ａ、４ａ、５ａ、６ａに嵌め込まれ、各印籠継手により接続された各中空部材４１，４２、４３，４４、４８と、各嵌め込み孔と各中空部材との間の空間内に注入された緩衝部材４７とにより、地震や強風等に対する倒壊や傾きに耐えることが出来、倒壊時の人身事故を防止できる。更に、各石と各中空部材との衝突による各石の破損を防止出来、且つ、各中空部材のキー溝孔４１ｂ、４２ｂ、４３ｂ、４３ｃに挿通された夫々の板状キー４５と、各台石のキー溝２ｃと３ｂ、３ｃと４ｂ、４ｃと５ｂ、５ｃと６ｂとにより、積重ねられた各石相互の回転方向のずれを防止できる。加えて各中空部材４１，４２，４３，４４，４８を各石に合わせて分割して印籠継手にて接続しているので、墓１の組立時に、重い石の高さ方向の移動量が無駄の無い量で済み、取扱容易であり、更に、各石の中央部の嵌め込み孔のために各石の重さが軽くなり取扱が容易となり、一層の作業の安全性の向上が図れる。
【００３９】
更に、図２を参照して、納骨室２０の前側壁２３は下端部を中心として前側に回動し開放可能かつ上端部を係止部材２７で係止して起立状態（閉鎖時）を維持可能な前倒れ扉方式とされている。この前側壁２３の前側面上部には、取っ手２３ａ，２３ａが装着されている。上方の香炉３１の中蓋５７を外してから、更に、係止部材２７を外した後に、取っ手２３ａは、前側壁２３を図２の２点鎖線で示すように前倒しした場合に、拝石１４と当接してこの前側壁２３の内面が納台２９の上面と同一水平レベルとなるように形成されている。
【００４０】
骨壷Ｃを納骨室２０へ収容する場合には、前側壁２３を前倒しした後、納台２９を図２に示すように左右の溝２１ａ，２２ａ（右側壁２２にあり図示されていない）に案内させて前側に引き寄せ、この状態で骨壷Ｃを前側壁２３の内面上を滑らせて納台２９近くまで移動させ、納台２９上に乗り移らせる。そして、納台２９を骨壷Ｃごと後へ押し込む。次に、骨壷Ｃを納骨室２０から取出す場合には、前側壁２３を前倒しした後、納台２９を図２に示すように左右の溝２１ａ，２２ａに案内させて滑らせて前側に引き寄せ、この状態で骨壷Ｃを納台２９上を滑らせ、前側壁２３の内面に乗移らせ、前側壁２３の内面上を滑らせて手前に取出せば良い。このようにして骨壷Ｃの納骨室２０への収容及び取出しを容易に行える。前側壁２３を閉止するのには開放時の手順と逆の手順を実行すれば良い。
【００４１】
図６は、墓１の付属品の花立・水鉢付き一体化香炉３１の分解斜視図である。図６では煩雑となるので前扉３３Ｆを省略してあるが、前扉３３Ｆについては図７、図８にて説明する。図７と図８とは、各々花立・水鉢付き一体化香炉３１の上蓋３４を取外した部分斜視図である。図７は、前扉３７Ｆを上方空間である水平収納部３６に設ける部分分解斜視図であり、図８は、前扉３７Ｆを花立・水鉢付き一体化香炉３１の前面に引出し、立てかけた部分斜視図である。花立・水鉢付き一体化香炉３１の土台である支持部材３７が、納骨室柱２５，２５と左右側壁２１，２２との上端面にて支持されていることは前述した（図１、図２参照）。この支持部材３７において、ほぼ中央に位置して貫通する四角孔３７ａを有する支持部材３７上に、この四角孔３７ａに着脱可能に被装する中蓋５７が配置されていて、雨水等の進入を防止している。この中蓋５７には、３個の防虫網付き換気口５８が設けられ、この換気口５８の奥に左右対称的に一対の蝋燭立５３用の取付け穴５３ａ、５３ａ（左側は図示せず）が穿たれ、手前に線香皿５１が配置されている（図６、図７参照）。
【００４２】
蝋燭立５３の下端部は中蓋５７に穿たれた穴５３ａ，５３ａに嵌め込まれており転倒しないようになっている（左側は図示せず）。線香皿５１は線香の燃え滓や灰を捨て易いように中蓋５７上に載置してある。この他に仏鈴５２（図示せず）等を設けても良い。そして、中蓋５７が支持部材３７の四角孔３７ａに対して着脱可能であり、墓参りに来た者が、中蓋５７を簡単に取外し、納骨室２０内の骨壷Ｃを見ながら骨壷Ｃ内のお骨（魂）に直接供養の言葉等を語りかけることが出来て便利である。
【００４３】
支持部材３７上で、中蓋５７の後方には後壁３３Ｒが、左右には左側壁３２Ｌと右側壁３２Ｒとが配置されている。右側壁３２Ｒの左方上端部に水平案内部３５Ｒを形成し、この水平案内部３５Ｒの前端部の一部が二手に分岐し、中側に位置する分岐の一方が上方に向かう円弧状部分を形成し（図７参照）、後述する前扉３３Ｆの左右一対の突出部３３ｃの内の右方の突出部３３ｃの案内とストッパー部とを形成し、前方に引出された時の前扉３３Ｆの右上端部の脱落転倒を防止する（図８参照）。そして、水平案内部３５Ｒの前端部の二手に分岐した内の他方（左外側に位置する）が、下方に向かう円弧状部分を形成し、更に、前方下に伸びて右縦案内３５ｂ（図７、図８を参照）を形成して、前方に引出された時の前扉３３Ｆの右側部を後方から案内し、支えている。
【００４４】
そして、これと対称的に、左側壁３２Ｌの右方上端部に水平案内部３５Ｌを形成し、この水平案内部３５Ｌの前端部の一部が二手に分岐し、中側に位置する分岐の一方が上方に向かう円弧状部分を形成し（図２、図７、図８を参照）、前扉３３Ｆの左方の突出部３３ｃの案内と、ストッパー部を形成し、前方に引出された時の前扉３３Ｆの左上端部の脱落転倒を防止する。即ち、右側突出部３３ｃには右上方円弧部分が、左側突出部３３ｃには左上方円弧部分が、互いに協力し合って前扉３３Ｆの案内と脱落防止を図っている。そして、水平案内部３５Ｌの前端部の二手に分岐した内の他方（右外側に位置する）が、下方に向かう円弧状部分を形成し、更に、前方下に伸びて左縦案内３５ａ（図２、図７、図８参照）を形成して、前方に引出された時の前扉３３Ｆの左側部を後方から案内し、支えている。即ち、右縦案内３５ｂと左縦案内３５ａにて前扉３３Ｆを背後から支えることになる。
【００４５】
そして、左側壁３２Ｌの水平案内部３５Ｌと左縦案内３５ａ、及び、右側壁３２Ｒの水平案内部３５Ｒと右縦案内３５ｂとに、案内支持される前記前扉３３Ｆが設けられている。前記前扉３３Ｆの前面下端部に取っ手３３ａが刻設されていて、前記前扉３３Ｆが、花立・水鉢付き一体化香炉３１の前面に立てかけられた状態（図２、図８参照）と、上方の空間である水平収容部３６に移動可能（図６、図７参照）となっている。尚、前記前扉３３Ｆは、上方左右両端部に突出部３３ｃが設けられ、水平案内部３５Ｒの分岐の上方に向かう円弧状部分と、水平案内部３５Ｒの分岐の上方に向かう円弧状部分とにより、前方に引出された時の前記前扉３３Ｆが脱落転倒しないような構造になっていると共に、蝋燭立５３や線香皿５１が風等で転倒や散乱するのを防止できて火災発生防止に役立ち便利である。更に、蝋燭の火や線香の火が消えないように前記前扉３３Ｆには、防虫網状部材付きの複数の通気口３３ｂが設けられている。
【００４６】
そして、前扉３３Ｆの前面に飾りを兼ねた花びら格子が施されていて、花びら格子の間から空気の出入りが可能に防虫網状部材付きの複数の通気口３３ｂが設けられており、前述の防虫網状部材付き換気口５８から納骨室２０の空気を引出すのを容易にしている（図４及び図１０中の空気流Ｗ２）。そして、左側壁３２Ｌの中央部に左花立用穴３２ａとその穴底に水抜き用穴３２ｂを設け、同様に、右側壁３２Ｒの中央部に右花立用穴３２ｃとその穴底に右水抜き用穴３２ｄを設けて、穴底内部に水が溜まらないようにしている（図６参照）。これは水の凍結や汚れ防止のためである。
【００４７】
更に、左側壁３２Ｌと右側壁３２Ｒと、そして、後壁３３Ｒとの上面に、上蓋（天井部材）３４が載設される。上蓋（天井部材）３４の表面の左右端部近傍に左右飾り突部３４ａ，３４ｂが配置され、その左右飾り突部３４ａ，３４ｂの各々の中心部内側寄りに左右一対の花立用の貫通孔３４ｃ、３４ｄが穿設されている。この上蓋（天井部材）３４の左右の花立用貫通孔３４ｃ、３４ｄは、これら左右の孔の下に対応した位置であって、左右側壁３２Ｌ、３２Ｒの各々の上面部に左右の花立用穴３２ａ、穴３２ｃとを設け、夫々の花立用貫通孔３４ｃと花立用穴３２ａ及び花立用貫通孔３４ｄと花立用穴３２ｃとの組合せ穴内に、上方から夫々専有の花立３８、３８が挿着され、前記上蓋３４とその下方に配設される左右側壁３２Ｌ，３２Ｒとを上下に一体的に係合させている。これにより地震時でも花立・水鉢付一体化香炉３１は分解したり倒壊せずに一体化が保たれる。更に、上蓋（天井部材）３４の表面の左右一対の花立用孔３４ｃ、３４ｄの間に左右一対の水鉢用凹部３４ｅが設けられていて、上面に載置される水鉢３９の底面裏側に設けられた一対の突部３９ａがこの左右一対の水鉢用凹部３４ｅに嵌挿され、地震や風等では外れないが、手による着脱は可能であり、水鉢３９の水洗い等に便利である。
【００４８】
そして、花立・水鉢付き一体化香炉３１は挿入される花立３８により、上蓋（天井部材）３４と、支持部材３７上に載置されている左右側壁３２Ｌ、３２Ｒとが一体的に係合されていてるので地震時や清掃時には部品が散逸せずまとまっているので便利である。尚、石材製の花立・水鉢付き一体化香炉３１において、花立３８、水鉢３９、線香皿５１、仏鈴５２、蝋燭立５３等はステンレス鋼製等の錆びにくく破損しにくい材質が望ましい。
【００４９】
次に、図９、図１０、図１１は本発明の第２の実施例に係り、図９は、墓１２０要部の中央部正面断面図である。図１０は、墓１２０要部の中央部右側断面図である。図１１は、竿石の上端部と大名形笠石との繋ぎ部の分解斜視図である。墓１２０は、図１、図２において上下蓮華５を省略して、下方から順に芝台２、中台３、上台４と積み上げた上に、竿石６を直接載設した形式の墓である。
【００５０】
本墓１２０において、納骨室２０の上部開口部２０Ｕは、芝台１２２と、この芝台１２２の前方にて、花立・水鉢付き一体化香炉３１を形成する支持部材３７及び支持部材３７を介して配置された中蓋５７とによって覆われている。即ち、上部開口部２０Ｕは、芝台１２２と、花立・水鉢付き一体化香炉３１とにより覆われている。ここで、納骨室２０と花立・水鉢一体化香炉３１は第１の実施例と同様であり、納骨室２０と花立・水鉢付き一体化香炉３１に付いては説明を省略する。又、本発明の第１の実施例と同様の場合の部材名と部材符号とに対しては、同一の部材名と部材符号とを使用している。
【００５１】
図９、図１０を参照して、芝台１２２の中央部に上下方向に貫通する嵌め込み孔（下方はすぼまる段付き孔）１２２ａが設けられ、この嵌め込み孔１２２ａの上方端部を前後方向に横断して上部キー溝（下の半割り凹部）１２２ｃが設けられている。そして、例えばスエージング加工等にて拡径された中空部材１４１の一方端（下方端の拡径部）１４１ａの上方近傍に設けられたキー溝孔１４１ｂ内に板状キー４５を挿通させてから、芝台１２２の前記嵌め込み孔（下方がすぼまる段付き孔）１２２ａに挿入し、その嵌め込み孔１２２ａの段部の上面に、拡径された中空部材１４１の一方端（下方端の拡径部）１４１ａを当接させて、落下防止し、そして、板状キー４５の下半分を、前記上部キー溝（下の半割り凹部）１２２ｃ内に挿入させておく。
【００５２】
そして、芝台１２２の中央部を貫通する嵌め込み孔（下方がすぼまる段付き孔）１２２ａから上方に前記中空部材１４１の他方端（上方端で、後述する第１の印籠継手の差し口を形成する）１４１ｃを突出させる。次に、芝台１２２の中央部の貫通する嵌め込み孔（下方がすぼまる段付き孔）１２２ａと中空部材１４１の周囲との空間内に緩衝部材４７を偏ることなく均等に注ぎ入れる。これにより中空部材１４１が芝台１２２の中央部の貫通する嵌め込み孔（下方がすぼまる段付き孔）１２２ａの中心より垂直上方向に起立すると共に、板状キー４５の上半分が上部キー溝１２２ｃから突出する状態となる。即ち、この状態となるように、各部材の寸法関係が設定されている。
【００５３】
次に、中台１２３を用意する。この中台１２３は、中央部を上下方向に貫通する嵌め込み孔１２３ａが貫通し、この嵌め込み孔１２３ａの下と上の両端部を前後方向に横断して下部キー溝（上の半割り凹部）１２３ｂと上部キー溝（下の半割り凹部）１２３ｃとが設けられている。そして、この中台１２３を、芝台１２２より垂直上方向に起立している中空部材１４１の他方端（上方端で、第１の印籠継手の差し口を形成する）１４１ｃの上方から、この中台１２３の嵌め込み孔１２３ａと下部キー溝（上の半割り凹部）１２３ｂとを、中空部材１４１と板状キー４５とに被挿する。
【００５４】
中空部材１４１の他方端（上方端で、第１の印籠継手の差し口を形成する）１４１ｃが、中台１２３の嵌め込み孔１２３ａ内の中間部に位置し、略半分の高さの突出した部分の板状キー４５が下部キー溝（下の半割り凹部）１２３ｂ内に収納され、且つ、芝台１２２の上面と中台１２３の下面とが密着するように、各部材の寸法関係が設定されている。即ち、下の半割り凹部１２２ｃと上の半割り凹部１２３ｂとでキー収納空間を形成し、板状キー４５を収納配設している。
【００５５】
次に、例えば、スエージング加工等で拡径された中空部材１４２の一方端（下方端で、第１の印籠継手の受け口を形成する拡径部）１４２ａの上方の、中間部にキー溝孔１４２ｂを貫通させ、他方端（上方端で、後述する第２の印籠継手の差し口を形成する）１４２ｃを有する中空部材１４２を用意し、前記キー溝孔１４２ｂに板状キー４５を挿通させてから、中台１２３の嵌め込み孔１２３ａ内の中間部に位置する中空部材１４１の他方端（上方端で、第１の印籠継手の差し口を形成する）１４１ｃに、中空部材１４２の拡径された下方端１４２ａを被挿させて、中空部材１４１と中空部材１４２とを第１の印籠継手にて接続すると共に、キー溝孔１４２ｂに挿通された板状キー４５の略下方半分を、上部キー溝（下の半割り凹部）１２３ｃ内に挿入する。
【００５６】
そして、中台１２３の中央部を貫通する嵌め込み孔１２３ａと第１の印籠継手にて接続された中空部材１４１と中空部材１４２との周囲の空間内、中台１２３の嵌め込み孔１２３ａの上端部から、緩衝部材４７を偏ることなく均等に注ぎ入れる。これにより中空部材１４２が中台１２３の中央部を貫通する嵌め込み孔１２３ａ中心より垂直上方向に起立すると共に、板状キー４５の上半分が上部キー溝１２３ｃから突出する状態となる。このような状態となるように各部材の寸法関係が設定されている。
【００５７】
次に、上台１２４を用意する。この上台１２４は、中央部を上下に貫通する嵌め込み孔１２４ａを設け、この嵌め込み孔１２４ａの下と上の両端部を前後方向に横断して下部キー溝（上の半割り凹部）１２４ｂと上部キー溝（下の半割り凹部）１２４ｃとが設けられている。そして、この上台１２４を、中台１２３より垂直上方向に起立する中空部材１４２の他方端（上方端で、第２の印籠継手の差し口を形成する）１４２ｃの上方から、この上台１２４の嵌め込み孔１２４ａと下部キー溝（上の半割り凹部）１２４ｂとを、中空部材１４２と板状キー４５とに被挿する。
【００５８】
中台１２３の上面に上台１２４が載置されると、中空部材１４２の他方端（上方端で、第２の印籠継手の差し口を形成する）１４２ｃが、上台１２４の嵌め込み穴１２４ａ内の中間部に位置し、略半分の高さの突出した部分の板状キー４５が下部キー溝（上の半割り凹部）１２４ｂ内に収納され、且つ、中台１２３の上面と上台１２４の下面とが密着するように、各部材の寸法関係が設定されている。そして、下の半割り凹部１２３ｃと上の半割り凹部１２４ｂとでキー収納空間を形成し、板状キー４５を収納配設している。
【００５９】
次に、スエージング加工等で拡径された一方端（下方端で、第２の印籠継手の受け口を形成する拡径部）１４３ａと、中間部よりやや下方寄りにキー溝穴１４３ｂを貫通させ、他方端（上方端で、後述する第３の印籠継手を形成する）１４３ｃとを有する中空部材１４３を用意し、前記キー溝孔１４３ｂに板状キー４５を挿通させた中空部材１４３の拡径部の下方端１４３ａを、上台１２４の差し込み孔１２４ａ内の中間部に位置する第２の印籠継手の差し口を形成する中空部材１４２の上方端１４２ｃに被挿させて、中空部材１４２と中空部材１４３とを第２の印籠継手にて接続すると共に、板状キー４５の下半分を上部キー溝（下の半割り凹部）１２４ｃ内に挿入する。
【００６０】
そして、上台１２４の中央部の貫通する嵌め込み孔１２４ａと第２の印籠継手にて接続された中空部材１４２と中空部材１４３との周囲の空間内とに、上台１２４の嵌め込み穴１２４ａの上方から緩衝部材４７を偏ることなく均等に注ぎ入れる。これにより中空部材１４３が上台１２４の中央部の貫通する嵌め込み孔１２４ａの中心より垂直上方向に起立すると共に、板状キー４５の上半分が上部キー溝１２４ｃから突出する状態となる。
【００６１】
次に、竿石１２６の縦方向の中央部に貫通する嵌め込み孔１２６ａが設けられ、この嵌め込み孔１２６ａの下端部を前後方向に横断して下部キー溝（上の半割り凹部）１２６ｂが設けられ、更に、竿石１２６の上端部である枠部１２７が設けられている。そして、この竿石１２６の下部キー溝（上の半割り凹部）１２６ｂ側を下方に向け、竿石１２６の嵌め込み孔１２６ａを、前記中空部材１４３の他方端（上方端で、後述する第３の印籠継手の差し口を形成する）１４３ｃから被挿する。そして、前記上部キー溝（下の半割り凹部）１２４ｃから略半分の高さの突出した部分の板状キー４５が、下部キー溝（上の半割り凹部）１２６ｂ内に収納され、且つ、上台１２４の上面と竿石１２６の下面とが密着するように載置される。即ち、竿石１２６が上台１２４の上に載置されて、中空部材１４３の他方端１４３ｃが竿石６の嵌め込み孔１２６ａ内の上下方向の中間部のやや上方に位置し、キー溝孔１４３ｂに挿通された板状キー４５は、下の半割り凹部１２４ｃと上の半割り凹部１２６ｂとにより形成されたキー収納空間内に収納された状態になるように、各部材の寸法関係が設定してある。
【００６２】
次に、竿石１２６の嵌め込み孔１２６ａの上方中間部に位置する中空部材１４３の他方端（上方端で、後述する第３の印籠継手の差し口を形成する）１４３ｃに、両端部を、例えば、スエージング加工等で拡径された中空部材１４４の一方端（下方端の拡径部）１４４ａを被挿する。即ち、中空部材１４３と中空部材１４４とを第３の印籠継手にて接続する。そして、中空部材１４４の、例えば、スエージング加工等で拡径された他方端（上方端で、複数の通気口１４４ｃを設けてある）１４４ｂが竿石１２６の上端に設けられた通気路１２７ｇ内に突出している。次に、嵌め込み孔１２６ａと中空部材１４３及び中空部材１４４との間の空間内に、嵌め込み孔１２６ａの上方端から、緩衝部材４７を偏ることなく均等に注ぎ入れる。これにより中空部材１４４が竿石１２６の中央部の貫通する嵌め込み孔１２６ａの中心より垂直上方向に起立することになる。
【００６３】
尚、中空部材１４４の拡径部の他方端（上方端）１４４ｂには、周囲に複数の通気口１４４ｃが設けてある。この中空部材１４４の他方端（上方端で、後述する第４の印籠継手の受け口を形成する拡径部）１４４ｂには、後述する中空部材１４８の一方端（下方端で、周囲に、前記複数の通気口１４４ｃに対応する複数の通気口１４８ｃがあり、後述する第４の印籠継手の差し口を形成する）１４８ａが挿着され、中空部材１４４と中空部材１４８とを第４の印籠継手により接続させる。そして、中空部材１４８の他方端は、大名形笠石１２９の下面中心部の円形凹部１２９ｂに挿着される。そして、中空部材１４８の下方端１４８ａ近傍の複数の通気口１４８ｃと、前記中空部材１４４の複数の前記通気口１４４ｃと対応配置されて、各中空部材の中空部と通気路１２７ｇとを連通させている。
【００６４】
尚、中空部材１４１，１４２、１４３，１４４、１４８や板状キー４５はステンレス鋼や青銅等の錆びにくく曲げや剪断に強い金属が望ましく、又、緩衝部材４７は前記した通りである。
図１１は、竿石と大名形笠石との繋ぎ部の分解斜視図である。竿石１２６の上端部である枠部１２７には、前枠１２７ａと左後枠１２７ｂと右後枠１２７ｃとに囲まれた通気路１２７ｇが形成されている。竿石１２６の上端部である枠部１２７には、仕切壁状の前枠１２７ａと、左後枠１２７ｂと右後枠１２７ｃとを配設し、左後枠１２７ｂと右後枠１２７ｃとの互いに対向する内周面に後Ｕ字形溝１２７ｄを有し、この後Ｕ字形溝１２７ｄに防虫網状部材８を嵌め込む。左後枠１２７ｂと前枠１２７ａとの互いに対向する内周面に左Ｕ字形溝１２７ｅを有し、同様に、右後枠１２７ｃと前枠１２７ａとの互いに対向する内周面に右Ｕ字形溝１２７ｆを有し、左Ｕ字形溝１２７ｅと右Ｕ字形溝１２７ｆとに通風を妨げない夫々防虫網状部材８を嵌め込む。
【００６５】
そして、この竿石１２６の上端部である枠部１２７上に大名形笠石１２９が載置される。大名形笠石１２９の下面の四角形凹部１２９ａが被着され、大名形笠石１２９の下面中心部の円形凹部１２９ｂには前記中空部材１４８の他方端（上端部）１４８ｂが嵌合配置されると共に、一方端（下方端）１４８ａは、前記中空部材１４４の上方端１４４ｂの拡径部内に挿入され、中空部材１４４と、１４８とが印籠継手にて接続される。この場合に印籠継手の部位の中空部材１４４と１４８とに、互いに複数の通気口１４４ｃと１４８ｃとを対応一致するように設け、しかもこれらの通気口１４４ｃと１４８ｃが前記通気路１２７ｇに面しており、下方の納骨室２０の空気を芝台１２２の嵌め込み孔１２２ａから（矢印Ｗ１）、各中空部材の中空部を経由し、複数の通気口１４４ｃ、１４８ｃから前記通気路１２７ｇを通り、防虫網状部材８を通過して外気に放散する（矢印Ｗ３）。納骨室２０には空気が夫々換気口２８Ｌと２８Ｒ（図示せず）により流入される。この様にして常時空気流の循環が存在し得るために、納骨室２０内のカビ発生が防止される。勿論、各石と中空部材との熱による線膨張係数の違いを吸収し得るような構造寸法になっている。（図９、図１０参照）
この様に、上下の石の繋ぎ部（ここでは竿石１２６の上端部である枠部１２７と大名形笠石１２９との繋ぎ）に防虫網状部材８を有する通気路１２７ｇを設け、前記納骨室２０の上部開口２０Ｕに連通され、前記各石の各貫通孔である嵌め込み孔内に挿着された前記各中空部材の各中空部と連通するように、前記通気路１２７ｇに面する中空部材の周側部に少なくとも一の（複数の）通気口１４４ｃ、１４８ｃを有する墓１２０防虫網状部材を有する第１、第２の換気口２８Ｌ，２８Ｒ（図示せず）から流入した納骨室２０内の空気が各中空部材の各中空部を経由して通気口１４４ｃ、１４８ｃから通気路１２７ｇを通り、防虫網状部材８を通過して外気に放散する空気流の循環（エアサイクル）が発生する。これにより、納骨室２０内が常時乾燥する。
【００６６】
そして、墓１２０の外部に風が吹いたり、外気及び中空部材内の空気が暖められると、納骨室２０内の空気が、中空部材（１４１，１４２、１４３，１４４、１４８）の中空部を通り、更に、複数の通気口１４８ｃ、１４４ｃを通して上方に引張り上げられる。所謂、各中空部材の中空部による煙突効果により、防虫網状部材８を通して外気に放出される（図１０中の空気流Ｗ１とＷ３）。即ち、大名形笠石１２９と竿石の上端部である枠部１２７と防虫網状部材８とにより墓１２０内部への虫や蛇や雨水の進入を防止できると共に、前記第１の換気口２８Ｌと第２の換気口２８Ｒから取り入れられ、納骨室２０内に充填される。常時、空気流の循環（エアサイクル）が存在し得るために、納骨室２０内の湿度は低下してカビの発生を防止できる。図９、図１０参照。
【００６７】
図９、図１０に示すように、芝台１２２と中台１２３、中台１２３と上台１２４、上台１２４と竿石１２６との各嵌め込み孔１２２ａ、１２３ａ、１２４ａ、１２６ａに嵌め込まれ、各印籠継手により接続された各中空部材１４１，１４２、１４３，１４４、１４８と、各嵌め込み孔と各中空部材との間の空間内に注入された緩衝部材４７とにより、地震や強風等に対する倒壊や傾きに耐えることが出来、倒壊時の人身事故を防止出来る。更に、各石と各中空部材との衝突による石の破損を防止出来、且つ、各中空部材のキー溝穴１４１ｂ、１４２ｂ、１４３ｂに挿通された夫々の板状キー４５と、各石のキー溝１２２ｃと１２３ｂ、１２３ｃと１２４ｂ、１２４ｃと１２６ｂとにより、積重ねられた石相互の回転方向のずれを防止できる。加えて各中空部材を１４１，１４２、１４３，１４４、１４８と各石に合わせて分割して印籠継手にて接続しているので、墓１２０の組立作業時に、重い石の高さ方向の移動距離がより少なくて済み、そして、各石の中央の貫通する嵌め込み孔により各石の重さが軽くなり、一層の取扱が容易となり作業の安全性の向上が図れる。
【００６８】
図１２、図１３、図１４は、本発明の第３の実施例に係り、図１２はその墓１５１の正面図である。図１３は墓１５１の一部断面の右側面図である。図１４は、竿石６と冠形笠石１５９との繋ぎ部の分解斜視図である。
図１２、図１３に示すように、本墓１５１は、図１、図２の墓1における大名形笠石９に対して冠形笠石１５９が異なるのみであり、その他の芝台２、中台３、上台４、上蓮台５、竿石６と納骨室２０と花立・水鉢付き香炉３１は同一であるから、竿石６と冠形笠石１５９との繋ぎ部について説明して、その他の部材の説明等は省略する。
【００６９】
図１２、図１３、図１４を参照して、竿石６の上端部である枠部７には、前枠７ａと左後枠７ｂと右後枠７ｃとに囲まれた通気路７ｇが形成されている。竿石６の上端部である枠部７は、仕切壁状の前枠７ａと、左後枠７ｂと右後枠７ｃとを配設し、左後枠７ｂと右後枠７ｃとの互いに対向する面を挟んで内周面に後Ｕ字形溝７ｄを配設し、この後Ｕ字形溝７ｄ内に通風を妨げない防虫網状部材８を嵌め込む。そして、左後枠７ｂと前枠７ａとの対向する面を挟んで内周面に左Ｕ字形溝７ｅを配設し、同様に、右後枠７ｃと前枠７ａとの対向する面を挟んで内周面に右Ｕ字形溝７ｆを配設し、夫々の溝７ｅ，７ｆ，内に夫々通風を妨げない防虫網状部材８を嵌め込む。挿設される通風を妨げない防虫網状部材８は、例えば、ステンレス鋼製の防虫網でもよい。
【００７０】
そして、竿石６の上端部である枠部７の上に冠形笠石１５９が載置される。冠形笠石１５９の下面の四角形凹部１５９ａに前枠７ａ、左後枠７ｂ及び右後枠７ｃの夫々の上端部が嵌着される。そして、冠形笠石１５９の下面中心部の円形凹部１５９ｂに中空部材４８の他方端（上方端）４８ｂが嵌合配置され、そして、前記中空部材４８の一方端（下方端で、周囲に複数の通気口４８ｃがある）４８ａは、前記中空部材４４の拡径された他方端（上方端で、周囲に複数の通気口４４ｃがあり、印籠継手の受け口を形成する）４４ｂに挿入される。そして、前記一方端（下方端）４８ａに設けられた複数の通気口４８ｃは、前記通気口４４ｃに各々対応する。そして、下方の納骨室２０内の空気を芝台２の嵌め込み孔２ａから（矢印Ｗ１の方向）、各中空部材４１，４２（図示省略）、４３（図示省略），４４，４８の中空部を経由して、複数の通気口４８ｃ、４４ｃから通気路７ｇを通り、通風を妨げない防虫網状部材８を通過して外気へ放散する（矢印Ｗ３の方向）。
【００７１】
即ち、上下の石の繋ぎ部（ここでは竿石６の上端部である枠部７と冠形笠石１５９との繋ぎ部）に防虫網状部材８を有する通気路７ｇを設け、前記納骨室２０の上部開口２０Ｕに連通され、前記各石の前記各貫通孔内に挿着された前記各中空部材の各中空部と連通するように、前記通気路７ｇに面する中空部材の周側部に少なくとも一の（複数の）通気口４８ｃ及び４４ｃを有する墓１５１である。この様にして納骨室２０内外に空気流の循環（エアサイクル）が発生するので、納骨室２０内が乾燥し、納骨室２０のカビ発生を防止する。そして、各石と各中空部材４１，４２（図示せず）、４３（図示せず），４４、４８との熱による線膨張係数の違いを吸収し得るように各部材の寸法関係を設定してある。
【００７２】
そして、墓１５１の外部に風が吹けば納骨室２０内の空気が、中空部材（４１、４２、４３、４４、４８）の中空部を通し、更に、複数の通気口４８ｃ、４４ｃを通して上方に引張り上げられる（図１３中の空気流Ｗ１から空気流Ｗ３）。所謂、各中空部材の中空部による煙突効果により、防虫網状部材８を通して外気に放出される。そして、冠形笠石１５９と枠部７及び防虫網状部材８とにより墓１５９内部への虫や蛇や雨水の進入を防止できると共に、前記防虫網付き第１の換気口２８Ｌ及び、第２の換気口２８Ｒ（図示せず）から空気が取り入れられ、納骨室２０内に補填される。常時、空気流の循環が存在し得るために、納骨室２０内の湿度は低下して乾燥し、カビの発生を防止できる。図１２、図1３、図１４参照。（図示しない部分は、図１〜図４を参照）
図１２、図１３、図１４に示すように、芝台２と中台３、中台３と上台４、上台４と上下蓮華５，上下蓮華５と竿石６との各嵌め込み孔２ａ、３ａ、４ａ、５ａ、６ａ（３ａ，４ａ，５ａは図示せず）に嵌め込まれ印籠継手により接続された中空部材４１，４２（図示せず）、４３（図示せず），４４、４８と、各嵌め込み穴と各中空部材との間の空間に注入された緩衝部材４７（図示せず）とにより、地震や強風等に対する倒壊や傾きに耐えることが出来、倒壊時の人身事故を防止出来る。更に、各墓石と各中空部材との衝突による各墓石の破損を防止出来、且つ、各中空部材のキー溝穴（図示せず）４１ｂ、４３ｂ、４３ｃに挿通された夫々の板状キー４５と、各台石のキー溝（図示せず）２ｃと３ｂ、３ｂと４ｂ、５ｃと６ｂとにより、積重ねられた墓石相互の回転方向のずれを防止できる。（図示しない部分は、図１〜図４を参照）加えて、中空部材を各石に合わせて分割して、印籠継手にて接続しているので、墓１５９の組立作業時に、高さ方向の移動距離を適切に出来、取扱が容易であり、作業の安全性の向上が図れる。そして、各石の中央部の貫通する嵌め込み孔のためにいしの重さが軽くなり取扱が容易となる。
【００７３】
図１５、図１６、図１７は、本発明の第４の実施例に係り、図１５はその墓１６１の一部断面の正面図である。図１６は墓１６１の一部断面の右側面図である。図１７は、中台と上蓮華１６５と竿石１５９との繋ぎ部の分解斜視図である。
本墓１６１において、納骨室２０の上部開口部２０Ｕは、芝台１６２と、この芝台１６２の前方にて、花立・水鉢付き一体化香炉３１を形成する支持部材３７及び支持部材３７を介して配置された中蓋５７とによって覆われている。即ち、上部開口部２０Ｕは、芝台１２２と、花立・水鉢付き一体化香炉３１とにより覆われている。ここで、納骨室２０と花立・水鉢一体化香炉３１は第１の実施例と同様であり、納骨室２０と花立・水鉢付き一体化香炉３１に付いては説明を省略する。又、本発明の第１の実施例と同様の場合の部材名と部材符号とに対しては、同一の部材名と部材符号とを使用している。
【００７４】
図１５、図１６を参照して、芝台１６２の中央部の上下方向に貫通する嵌め込み孔（下方はすぼまる段付き孔）１６２ａが設けられ、この嵌め込み孔１６２ａの上方端部を前後方向に横断して上部キー溝（下の半割り凹部）１６２ｃが設けられている。そして、例えばスエージング加工等にて拡径された中空部材１８１の一方端（下方端の拡径部）１８１ａの上方近傍に設けられたキー溝孔１８１ｂ内に板状キー４５を挿通させてから、芝台１６２の前記嵌め込み孔（下方がすぼまる段付き孔）１６２ａに挿入し、その嵌め込み孔１６２ａの段部の上面に、拡径された中空部材１８１の一方端（下方端の拡径部）１８１ａを当接させて、落下防止し、そして、板状キー４５の下半分を、前記上部キー溝（下の半割り凹部）１６２ｃ内に挿入させておく。
【００７５】
そして、芝台１６２の中央部を貫通する嵌め込み孔（下方がすぼまる段付き孔）１６２ａから上方に前記中空部材１８１の他方端（上方端で、後述する第１の印籠継手の差し口を形成する）１８１ｃを突出させる。次に、芝台１６２の中央部の貫通する嵌め込み孔（下方がすぼまる段付き孔）１６２ａと中空部材１８１の周囲との空間内に緩衝部材４７を偏ることなく均等に注ぎ入れる。これにより中空部材１８１が芝台１６２の中央部の貫通する嵌め込み孔（下方がすぼまる段付き孔）１６２ａの中心より垂直上方向に起立すると共に、板状キー４５の上半分が上部キー溝１６２ｃから突出する状態となる。即ち、この状態となるように、各部材の寸法関係が設定されている。
【００７６】
次に、中台１６３を用意する。この中台１６３は、中央部を上下方向に貫通する嵌め込み孔１６３ａが貫通し、この嵌め込み孔１６３ａの下と上の両端部を前後方向に横断して下部キー溝（上の半割り凹部）１６３ｂと上部キー溝（下の半割り凹部）１６３ｃとが設けられている。そして、この中台１６３を、芝台１６２より垂直上方向に起立している中空部材１８１の他方端（上方端で、第１の印籠継手の差し口を形成する）１８１ｃの上方から、この中台１６３の嵌め込み孔１６３ａと下部キー溝（上の半割り凹部）１６３ｂとを、中空部材１８１と板状キー４５とに被挿する。
【００７７】
中空部材１８１の他方端（上方端で、第１の印籠継手の差し口を形成する）１８１ｃが、中台１６３の嵌め込み孔１６３ａ内の中間部に位置し、略半分の高さの突出した部分の板状キー４５が下部キー溝（下の半割り凹部）１６３ｂ内に収納され、且つ、芝台１６２の上面と中台１６３の下面とが密着するように、各部材の寸法関係が設定されている。即ち、下の半割り凹部１６２ｃと上の半割り凹部１６３ｂとでキー収納空間を形成し、板状キー４５を収納配設している。
【００７８】
次に、例えば、スエージング加工等で拡径された中空部材１８２の一方端（下方端で、第１の印籠継手の受け口を形成する拡径部）１８２ａの上方の、中間部にキー溝孔１８２ｂを貫通させ、他方端（上方端で、後述する第２の印籠継手の差し口を形成する）１８２ｃを有する中空部材１８２を用意し、前記キー溝孔１８２ｂに板状キー４５を挿通させてから、中台１６３の嵌め込み孔１６３ａ内の中間部に位置する中空部材１８１の他方端（上方端で、第１の印籠継手の差し口を形成する）１８１ｃに、中空部材１８２の拡径された下方端１８２ａを被挿させて、中空部材１８１と中空部材１８２とを第１の印籠継手にて接続すると共に、キー溝孔１８２ｂに挿通された板状キー４５の略下方半分を、上部キー溝（下の半割り凹部）１６３ｃ内に挿入する。
【００７９】
そして、中台１６３の中央部を貫通する嵌め込み孔１６３ａと第１の印籠継手にて接続された中空部材１８１と中空部材１８２との周囲の空間内、中台１６３の嵌め込み孔１６３ａの上端部から、緩衝部材４７を偏ることなく均等に注ぎ入れる。これにより中空部材１８２が中台１６３の中央部を貫通する嵌め込み孔１６３ａ中心より垂直上方向に起立すると共に、板状キー４５の上半分が上部キー溝１６３ｃから突出する状態となる。このような状態となるように各部材の寸法関係が設定されている。（図１６、図１７参照）
次に、上蓮華１６４を用意する。この上蓮華１６４は、中央部を上下に貫通する嵌め込み孔１６４ａを設け、この嵌め込み孔１６４ａの下と上の両端部を前後方向に横断して下部キー溝（上の半割り凹部）１６４ｂと上部キー溝（下の半割り凹部）１６４ｃとが設けられ、更に、後述する上蓮華１６４の上端部である枠部１６５が設けられている。そして、この上蓮華１６４を、中台１６３より垂直上方向に起立する中空部材１８２の他方端（上方端で、第２の印籠継手の差し口を形成する）１８２ｃの上方から、この上蓮華１６４の嵌め込み孔１６４ａと下部キー溝（上の半割り凹部）１６４ｂとを、中空部材１８２と板状キー４５とに被挿する。
【００８０】
中台１６３の上面に上蓮華１６４が載置されると、中空部材１８２の他方端（上方端で、第２の印籠継手の差し口を形成する）１８２ｃが、上蓮華１６４の嵌め込み穴１６４ａの上方より突出し、そして、略半分の高さの突出した部分の板状キー４５が下部キー溝（上の半割り凹部）１６４ｂ内に収納される。即ち、中台１６３の上面と上蓮華１６４の下面とが密着するように、各部材の寸法関係が設定されている。そして、下の半割り凹部１６３ｃと上の半割り凹部１６４ｂとでキー収納空間を形成し、板状キー４５を収納配設している。（図１６、図１７参照）
図１７を参照すると、上蓮華１６４と竿石１６６との繋ぎ部分として上蓮華１６４の上端部である枠部１６５が形成されている。そして、中空部材１８２の他方端（上端部で、周囲に複数の通気口１８２ｄを有し、第２の印籠継手の受け口を形成する拡径部）１８２ｃが上方に突出している嵌め込み穴１６４ａの上方端から、嵌め込み穴１６４ａと中空部材１８２との間の周囲の空間内に緩衝部材４７を偏ることなく均等に注ぎ入れる。
【００８１】
上蓮華１６４の上端部である枠部１６５には、前枠１６５ａと左後枠１６５ｂと右後枠１６５ｃとに囲まれた通気路１６５ｇが形成されている。そして、嵌め込み穴１６４ａを貫いた中空部材１８２の他方端（上方端）１８２ｃが複数の通気口１８２ｄを、通気路１６５ｇ内に向けて開口されている。そして、左後枠１６５ｂと右後枠１６５ｃとの互いに対向する面を挟んで内周面に後Ｕ字形溝１６５ｄを配設し、この後Ｕ字形溝１６５ｄ内に通風を妨げない防虫網状部材８を嵌め込む。同様に、左後枠１６５ｂと前枠１６５ａとの対向する面を挟んで内周面に左Ｕ字形溝１６５ｅを配設し、更に、右後枠１６５ｃと前枠１６５ａとの対向する面を挟んで内周面に右Ｕ字形溝１６５ｆを配設し、夫々の溝１６５ｅ，１６５ｆ，内に夫々通風を妨げない防虫網状部材８を嵌め込む。挿設される通風を妨げない防虫網状部材８は、例えば、ステンレス鋼製の防虫網でもよい。
【００８２】
そして、この上蓮華１６４の上端部である枠部１６５の上に竿石１６６が載置され、竿石１６６の下面の四角形凹部１６６ａに前枠１６５ａ、左後枠１６５ｂ及び右後枠１６５ｃの夫々の上端部が嵌着される。そして、竿石１６６の下面中心部の円形凹部１６６ｂに前記中空部材１８３の他方端（上方端）１８３ｃが嵌合配置される。そして、この中空部材１８３の一方端（下方端で、周囲に複数の通気口１８３ｂを有し、第２の印籠継手の差し口を形成する）１８３ａが、前記中空部材１８２の他方端（上方端で、周囲に前記通気口１８３ｂに対応する複数の通気口１８２ｄを有する拡径部）１８２ｃと第２の印籠継手を形成して、中空部材１８２と中空部材１８３とを接続する。そして、そこに複数の通気口１８２ｄ、１８３ｂ同士を対応させて通気路１６７ｇに開口している。そして、下方の納骨室２０内の空気を芝台１６２の嵌め込み穴１６２ａから（矢印Ｗ１の方向）、中空部材１８１、１８２，１８３の中空部を経由して、複数の通気口１８３ｂ、１８２ｄを通り、通気路１６７ｇから、通風を妨げない防虫網状部材８を通過して外気へ放散する（矢印Ｗ３の方向）。納骨室２０の空気は第1、第2の換気口２８Ｌ，２８Ｒから流入し、更に、花立・水鉢付き一体化香炉３１の支持部材３７に組込まれている中蓋５７の換気口（防虫網状部材付き）５８からも前扉３３Ｆの通風口３３ｂを通って外気に放散することも可能である（矢印Ｗ２）。図１６、図１７参照
即ち、各石の上下の繋ぎ部（ここでは上蓮華１６４と竿石１６６との繋ぎ部）に防虫網状部材８を有する通気路１６５ｇを設け、前記納骨室２０の上部開口２０Ｕに連通され、前記各石の前記各貫通孔内に挿着された前記中空部材の中空部から前記通気路１６５ｇに面する周側部に少なくとも一の（複数の）通気口１８３ｂ、１８２ｄを通して納骨室２０の空気を外気に放散する墓１６１である。この様にして、即ち、外気と納骨室２０内の空気流の循環（エアサイクル）が、常時、発生し得るので、納骨室２０のカビ発生を防止する。そして、各石と拡中空部材との熱による線膨張係数の違いを吸収し得るように各部材の寸法関係を設定してある。
【００８３】
そして、墓１６１の外部に風が吹けば納骨室２０内の空気が、各中空部材１８１、１８２，１８３の各中空部を通り、更に、複数の通気口１８１ｅを通って上方に引張り上げられる（図１６中の矢印Ｗ１からＷ３の空気流）。所謂、各中空部材の各中空部による煙突効果により、防虫網状部材８を通して外気に放出される。そして、上蓮華１６４の上端部である枠部１６５の防虫網状部材８と竿石１６６とにより墓１６１内部への虫や蛇や雨水の進入を防止できる。第１、第２の換気口２８Ｌ、２８Ｒ（図示しない）から取り入れられる納骨室２０内の空気は、中空部材１８１の内部空間（中空部）による煙突効果により、上方に引かれて外部に放出され、納骨室２０内の湿度は低下してカビの発生を防止できる。図１６参照。
【００８４】
図１６に示すように、芝台１６２と中台１６３と上蓮華１６４と竿石１６６との各嵌め込み穴１６２ａ、１６３ａ、１６４ａ、１６６ｂに嵌め込まれる各中空部材１８１、１８２，１８３と、各嵌め込み孔と各中空部材との間の空間内に注入された緩衝部材４７とにより、地震や強風等に対する倒壊や傾きに耐えることが出来、更に、各石と各中空部材との衝突による各墓石の破損を防止出来、且つ、各中空部材のキー溝孔１８１ｂ、１８２ｂに挿通された夫々の板状キー４５と、芝台１６２と中台１６３、中台１６３と上蓮華１６４，とのキー溝１６２ｃと１６３ｂ、１６３ｃと１６４ｂとにより、積重ねられた石相互の回転方向のずれを防止できる。
【００８５】
本発明の第５の実施例として図５、図１４、図１７等に示す冠形笠石又は大名形笠石の外表面にソーラセルを取付、そのソーラセルで発生した電力で駆動される電動式換気扇を冠形笠石又は大名形笠石内の空間や納骨室２０に内蔵して、前記中空部材の中空部を通して上方に空気が引き上げらる煙突効果と相俟って、積極的に納骨室２０内を換気することも可能である。
【００８６】
以上、本発明の実施例を説明したが、本発明の範囲は、これに限定されるものではなく、本発明の要旨を逸脱しない範囲内において種々変更を加え得ることは勿論である。
【産業上の利用可能性】
【００８７】
本発明は、高耐震性の有用な墓として、製造、販売する産業分野で利用することが出来る。
【図面の簡単な説明】
【００８８】
【図１】本発明の第1の実施例に係る墓の正面図である。
【図２】本発明の第1の実施例に係る墓の一部縦断面の右側面図である。
【図３】本発明の第1の実施例に係る墓の中央部正面断面図である。
【図４】本発明の第1の実施例に係る墓の中央部右側断面図である。
【図５】本発明の第1の実施例に係る墓の竿石の上端部の分解斜視図である。
【図６】本発明の第1の実施例に係る墓の花立・水鉢付き一体化香炉の分解斜視図である。
【図７】本発明に係る花立・水鉢付き一体化香炉の上蓋を取外して前蓋を上方空間の水平収納部に設けた部分分解斜視図である。
【図８】本発明に係る花立・水鉢付き一体化香炉の上蓋を取外して前蓋を引出し、花立・水鉢付き一体化香炉の前面に立てかけた部分斜視図である。
【図９】本発明の第２の実施例に係る墓の中央部正面断面図である。
【図１０】本発明の第２の実施例に係る墓の中央部右側断面図である。
【図１１】本発明の第２の実施例に係る墓の竿石の上端部の分解斜視図である。
【図１２】本発明の第３の実施例に係る墓の正面図である。
【図１３】本発明の第３の実施例に係る墓の一部破断の右側面図である。
【図１４】本発明の第３の実施例に係る竿石と冠形笠石との繋ぎ部の分解斜視図である。
【図１５】本発明の第４の実施例に係る墓の一部断面の正面図である。
【図１６】本発明の第４の実施例に係る墓の一部断面の右側面図である。
【図１７】本発明の第４の実施例に係る中台と上蓮華と竿石との繋ぎ部の分解斜視図である。
【図１８】図１８（ａ）は、従来の墓の正面図であり、図１８（ｂ）は、従来の墓の右側面図である。
【符号の説明】
【００８９】
１  墓
２  芝台
３  中台
４  上台
５  上蓮華
６  竿石
２ａ、３ａ、４ａ、５ａ、６ａ  嵌め込み孔（貫通する孔）
２ｃ、３ｃ、４ｃ、５ｃ  上部キー溝（上の半割り凹部）
３ｂ、４ｂ、５ｂ、６ｂ  下部キー溝（下の半割り凹部）
２ｃと３ｂ、３ｃと４ｂ、４ｃと５ｂ、５ｃと６ｂ  キー収納空間
９  竿石
２０  納骨室
２１  左側壁
２２  右側壁
２３  前側壁
２４  後側壁
２５  納骨室柱
２６  横石
２７  係止部材
２９  納台
３１  花立・水鉢付き一体化香炉
３８  花立
３９  水鉢
４１、４３、４４  中空部材
４５  板状キー
５１  線香皿
５３  蝋燭立
５７  中蓋
Ｃ  骨壷
Ｓ  地面
Ｓ１  地面露出部。
【図１】
2007092423.tif 000003
【図２】
2007092423.tif 000004
【図３】
2007092423.tif 000005
【図４】
2007092423.tif 000006
【図５】
2007092423.tif 000007
【図６】
2007092423.tif 000008
【図７】
2007092423.tif 000009
【図８】
2007092423.tif 000010
【図９】
2007092423.tif 000011
【図１０】
2007092423.tif 000012
【図１１】
2007092423.tif 000013
【図１２】
2007092423.tif 000014
【図１３】
2007092423.tif 000015
【図１４】
2007092423.tif 000016
【図１５】
2007092423.tif 000017
【図１６】
2007092423.tif 000018
【図１７】
2007092423.tif 000019
【図１８】
2007092423.tif 000020
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
下部に納骨室を設け、その上部に複数の石を積重ねる墓において、
前記納骨室を外気に連通させる換気口と、前記納骨室に連通するように各石を上下方向に貫通する貫通孔と、互いに当接する各石の上下面に前記貫通孔を横断してそれぞれ上下対応するように設けられた半割り凹部と、該上下の半割り凹部同士で形成されるキー収納空間を形と、最上部の石とその下の石との繋ぎ部に設けられた外気に連通する通気路とを備え、
キー溝孔に挿通された板状キーを有する中空部材を前記各石の貫通孔に挿着し、対応する前記キー収納空間内に前記板状キーを収納配設すると共に、前記納骨室と前記通気路とを前記各石の前記貫通孔内に挿着された前記中空部材により連通させたことを特徴とする墓。
【請求項２】
前記中空部材が、前記石の中間部にて継手部により上下に接続されたことを特徴とする請求項１記載の墓。
【請求項３】
前記石の上下方向に貫通する前記孔内周面と、この孔内に挿着された前記中空部材の外周面との間の空間内に、緩衝部材を設けたことを特徴とする請求項１または２記載の墓。
【請求項４】
前記換気口及び前記通気路に防虫網状部材を設けたことを特徴とする請求項１記載の墓。
【手続補正２】
【補正対象書類名】明細書
【補正対象項目名】０００７
【補正方法】変更
【補正の内容】
【０００７】
上述の目的を達成するため、本発明の墓は、請求項１に記載したように、下部に納骨室を設け、その上部に複数の石を積重ねる墓において、前記納骨室を外気に連通させる換気口と、前記納骨室に連通するように各石を上下方向に貫通する貫通孔と、互いに当接する各石の上下面に前記貫通孔を横断してそれぞれ上下対応するように設けられた半割り凹部と、該上下の半割り凹部同士で形成されるキー収納空間を形と、最上部の石とその下の石との繋ぎ部に設けられた外気に連通する通気路とを備え、キー溝孔に挿通された板状キーを有する中空部材を前記各石の貫通孔に挿着し、対応する前記キー収納空間内に前記板状キーを収納配設すると共に、前記納骨室と前記通気路とを前記各石の前記貫通孔内に挿着された前記中空部材により連通させたことを特徴とする墓である。
【手続補正３】
【補正対象書類名】明細書
【補正対象項目名】０００８
【補正方法】変更
【補正の内容】
【０００８】
請求項２の発明は、前記中空部材が、前記石の中間部にて継手部により上下に接続されたことを特徴とする墓である。
請求項３の発明は、前記石の上下方向に貫通する前記孔の内周面と、この孔内に挿着された前記中空部材の外周面との間の空間内に、緩衝部材を設けたことを特徴とする墓である。
請求項４の発明は、前記換気口及び前記通気路に防虫網状部材を設けたことを特徴とする墓である。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
以上説明したように請求項１の発明によれば、納骨室に連通するように各石を上下方向に貫通する貫通孔と、互いに当接する各石の上下面に前記貫通孔を横断してそれぞれ上下対応するように設けられた半割り凹部と、該上下の半割り凹部同士で形成されるキー収納空間を形とを備え、キー溝孔に挿通された板状キーを有する中空部材を前記各石の貫通孔に挿着し、対応する前記キー収納空間内に前記板状キーを収納配設した。そのため、地震等の強い振動に対しても積重ねられた石が上下方向に貫装された中空部材により倒壊することがなく、更に、上下の半割り凹部同士で形成されたキー収納空間内に中空部材のキー溝孔に挿通された板状キーを収納しているので、互いに上下に積重ねられている石同士の回転方向のずれも防止できて便利である。更に、各石を上下方向に貫通する孔を設けたので、各石が軽くなり一層石の取扱が容易となり、作業の安全性が向上した。
また、請求項１では、納骨室を外気に連通させる換気口と最上部の石とその下の石との繋ぎ部に設けられた外気に連通する通気路とを備え、前記納骨室と前記通気路とを前記各石の前記貫通孔内に挿着された前記中空部材により連通させたものとしているため、中空部材の内部の空間が納骨室内の空気を天井部から石を上方に貫いて外部に導き、石の外部で吹く風や夏場等で暖められた空気が中空部材の内部空間による煙突効果にて納骨室内の空気が下方から上方に引かれて空気流の循環（エアサイクル）が引き起こされるので納骨室内が乾燥しカビ等の発生が防止される。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】図面
【補正対象項目名】図２
【補正方法】変更
【補正の内容】
【図２】
2007092423.tif 000021
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
下部に納骨室を設け、その上部に複数の石を積重ねる墓において、  前記納骨室を外気に連通させる換気口と、前記納骨室に連通するように各石を上下方向に貫通する貫通孔と、互いに当接する各石の上下面に前記貫通孔を横断してそれぞれ上下対応するように設けられた半割り凹部と、該上下の半割り凹部同士で形成されるキー収納空間と、最上部の石とその下の石との繋ぎ部に設けられた外気に連通する通気路とを備え、  キー溝孔に挿通された板状キーを有する中空部材を前記各石の貫通孔に挿着し、対応する前記キー収納空間内に前記板状キーを収納配設すると共に、前記納骨室と前記通気路とを前記各石の前記貫通孔内に挿着された前記中空部材により連通させたことを特徴とする墓。
【請求項２】
前記中空部材が、前記石の中間部にて継手部により上下に接続されたことを特徴とする請求項１記載の墓。
【請求項３】
前記石の上下方向に貫通する前記孔内周面と、この孔内に挿着された前記中空部材の外周面との間の空間内に、緩衝部材を設けたことを特徴とする請求項１または２記載の墓。
【請求項４】
前記換気口及び前記通気路に防虫網状部材を設けたことを特徴とする請求項１記載の墓。
【手続補正２】
【補正対象書類名】明細書
【補正対象項目名】０００７
【補正方法】変更
【補正の内容】
【０００７】  上述の目的を達成するため、本発明の墓は、請求項１に記載したように、下部に納骨室を設け、その上部に複数の石を積重ねる墓において、前記納骨室を外気に連通させる換気口と、前記納骨室に連通するように各石を上下方向に貫通する貫通孔と、互いに当接する各石の上下面に前記貫通孔を横断してそれぞれ上下対応するように設けられた半割り凹部と、該上下の半割り凹部同士で形成されるキー収納空間と、最上部の石とその下の石との繋ぎ部に設けられた外気に連通する通気路とを備え、キー溝孔に挿通された板状キーを有する中空部材を前記各石の貫通孔に挿着し、対応する前記キー収納空間内に前記板状キーを収納配設すると共に、前記納骨室と前記通気路とを前記各石の前記貫通孔内に挿着された前記中空部材により連通させたことを特徴とする墓である。
【手続補正３】
【補正対象書類名】明細書
【補正対象項目名】００１５
【補正方法】変更
【補正の内容】
【００１５】  以上説明したように請求項１の発明によれば、納骨室に連通するように各石を上下方向に貫通する貫通孔と、互いに当接する各石の上下面に前記貫通孔を横断してそれぞれ上下対応するように設けられた半割り凹部と、該上下の半割り凹部同士で形成されるキー収納空間とを備え、キー溝孔に挿通された板状キーを有する中空部材を前記各石の貫通孔に挿着し、対応する前記キー収納空間内に前記板状キーを収納配設した。そのため、地震等の強い振動に対しても積重ねられた石が上下方向に貫装された中空部材により倒壊することがなく、更に、上下の半割り凹部同士で形成されたキー収納空間内に中空部材のキー溝孔に挿通された板状キーを収納しているので、互いに上下に積重ねられている石同士の回転方向のずれも防止できて便利である。更に、各石を上下方向に貫通する孔を設けたので、各石が軽くなり一層石の取扱が容易となり、作業の安全性が向上した。  また、請求項１では、納骨室を外気に連通させる換気口と最上部の石とその下の石との繋ぎ部に設けられた外気に連通する通気路とを備え、前記納骨室と前記通気路とを前記各石の前記貫通孔内に挿着された前記中空部材により連通させたものとしているため、中空部材の内部の空間が納骨室内の空気を天井部から石を上方に貫いて外部に導き、石の外部で吹く風や夏場等で暖められた空気が中空部材の内部空間による煙突効果にて納骨室内の空気が下方から上方に引かれて空気流の循環（エアサイクル）が引き起こされるので納骨室内が乾燥しカビ等の発生が防止される。